(57)【要約】【課題】下着の基本機能に人体工学的立体パターンを加えてヒップアップ効果および楽な履き心地を同時に図ることが可能なブリーフの提供。【解決手段】人体の曲線と活動による筋肉の動きを勘案して一方向または両方向に伸縮する繊維生地を、人体部位に相応して所定のサイズおよび様々な形状に裁断された多数枚の前・後身頃パターンを縫い合わせて、着用の際にパターンの相互間に伸縮する力の作用方向と人体部位別の動きに応じて垂直中心線の下方中央から上方左右の対角線方向に均等なＹ字形方向またはＶ字形方向の力が作用するように構成することにより、ボリューム感のある弾力的なヒップラインを維持することができるうえ、いずれか一方に片寄るように設計された陰嚢パターン部によって陰茎の安定的なフィット感と楽な履き心地を図ることができるブリーフを提供する。【選択図】図１
2011517735.tif 000002
【特許請求の範囲】
【請求項１】
着用者の腰の周りに着け、所定サイズの上方開口部が設けられた腰バンドと、前記腰バンドの下端縁に、所定のサイズに裁断された前身頃部材と後身頃部材が縫合され、両側に所定サイズの下方開口部が設けられたブリーフ本体とを含んでなるブリーフにおいて、
前記前身頃部材は、
一方向および両方向の少なくとも一方向に伸縮する、所定のサイズと様々な形状に裁断された多数の繊維生地パターンで出来ており、
両方向に伸縮し、通気性を有する所定幅の左・右メッシュテープと、
前記左・右メッシュテープによって後方からの左・右上後身頃に縫合され、垂直中心線の下方中央から上方左右の対角線方向に伸縮性がない単方向の左・右上前身頃と、
下方に膨らんだＵ字形の曲線を成し、両方向に伸縮する通気性の中央メッシュテープと、
前記中央メッシュテープによって前記左・右上前身頃に縫合され、お互いに立体的に連結され且つ両方向に伸縮する左・右陰嚢身頃と、
前記左・右陰嚢身頃の下端部に配置され、両方向に伸縮し且つゴムバンドがない２重の左・右下前身頃と、
前記左・右下前身頃のパターンに縫合され、両方向に伸縮する中央底部身頃とを含んでなり、
前記左・右陰嚢身頃と前記中央メッシュテープで形成された陰嚢パターン部は、垂直中心線から左または右に所定の角度で傾くように構成されているため、着用の際に左右側部分より中央部分が低くなるように曲線設計された前記腰バンドに連結され、所定の一方向にのみ伸縮する前記左・右上前身頃と、その後ろからの前記左・右上後身頃に連結され、ヒップアップのための強い圧力が前身頃部分に伝達されることを弱化させる役割を果たす前記左・右メッシュテープと、前記左・右メッシュテープで弱化した力および前記左・右上前身頃、前記左・右陰嚢身頃で作用する圧力が陰嚢部位を強く圧迫しないように緩和させる役割を果たす前記中央メッシュテープと、前記中央メッシュテープに連結される前記中央底部身頃と、前記中央底部身頃の左右側に対称的に連結される前記左・右下前身頃とのパターン相互間に作用する力の方向と人体の動きに応じて垂直中心線の下方中央から上方左右の対角線方向にＶ字形方向の力が作用することを特徴とする、ブリーフ。
【請求項２】
前記後身頃部材は、
一方向にのみ伸縮する、所定のサイズと様々な形状に裁断された多数の繊維生地パターンで出来ており、
前記左・右上前身頃に縫着された前記左・右メッシュテープに互いに連結された左・右上後身頃と、前記左・右上後身頃の下端に左右対称的に縫合され、所定の一方向にのみ伸びる左・右下後身頃および左・右中央後身頃とを含んでなり、
着用の際に左右側部分より中央部分が低くなるように曲線設計された前記腰バンドに連結され、垂直中心線の下方中央から上方左右の対角線方向に伸縮しない前記左・右上後身頃と前記左・右下後身頃、および垂直中心線の下方中央から上方に伸縮しない前記左・右中央後身頃のパターン相互間に作用する力の方向と人体部位別の動きに応じて垂直中心線の下方中央から上方左右の対角線方向に均等にＹ字形方向またはＶ字形方向の力が作用することを特徴とする、請求項１に記載のブリーフ。
【請求項３】
前記左・右陰嚢身頃と前記中央メッシュテープで形成された陰嚢パターン部の左側に傾いた角度が４０°〜８５°であることを特徴とする、請求項１に記載のブリーフ。
【請求項４】
前記左・右陰嚢身頃と前記中央メッシュテープで形成された陰嚢パターン部の右側に傾いた角度が９５°〜１４０°であることを特徴とする、請求項１に記載のブリーフ。
【請求項５】
前記左・右上前身頃に縫着された前記左・右メッシュテープに互いに連結された前記左・右上後身頃、前記左・右下後身頃および前記左・右中央後身頃のパターンは、垂直中心線の下方中央から上方左右の対角線方向に伸びないように左右対称的に縫合され、着用の際にその相互結合による力の方向と身体の動きに応じて垂直中心線の下方中央から上方左右の対角線方向にＹ字形方向またはＶ字形方向の力が作用し、その力の左方向の角度は１０°〜７５°、右方向の角度は１０５°〜１７０°であり、前記左方向及び前記右方向に作用する力は左右対称かつ均等であることを特徴とする、請求項２に記載のブリーフ。
【発明の詳細な説明】
【技術分野】
【０００１】
本発明は、履き心地の良さとヒップアップ効果を同時に実現することが可能なブリーフに係り、特に、人体の曲線および活動による筋肉の動きを勘案して一方向または両方向に伸縮する繊維生地を、人体部位に相応して所定のサイズおよび様々な形状に裁断された多数枚の前・後身頃パターンを縫い合わせて、着用の際にパターンの相互間に伸縮する力の作用方向および人体部位別の動きに応じて垂直中心線の下方中央から上方左右の対角線方向に均等なＹ字形方向またはＶ字形方向の力が作用するように構成することにより、ボリューム感のある弾力的なヒップラインを維持することができるうえ、いずれか一方に片寄るように設計された陰嚢パターン部によって陰茎の安定的なフィット感と楽な履き心地を追求することができるブリーフに関する。
【背景技術】
【０００２】
日本の５０代の中年女性であるサクライ女士によって最初開発された逆三角形のブリーフは、「カバー」の機能しかしなかった下着のパンツが無駄に長い必要がないということからアイデアを出し、デドロンという袋に脚が入るように切開して作ったものに由来した。このように初期のブリーフは単に「カバー」の役割を果たすものに過ぎなかったが、人類文明の発展に伴い、ブリーフの機能も様々に進歩してきた。現在のブリーフは、カバーの機能以外にも人体の皮膚保護、保温性、吸湿性および活動性が、また、生理的機能などの基本機能以外にもファッション性が加わって様々な模様、色彩およびパターンにデザインされることにより、ビジュアル的満足感まで要求されている。
【０００３】
韓国の場合を例にすれば、男性用ブリーフ市場では、８０年代中半まで白色の男性ブリーフ（いわゆる逆三角形）が主流をなし、８０年代後半に、フランスライセンスブランドである「ジャッキ」が韓国内に導入されてブリーフの有色化が始まった後、消費者の様々な欲求に応じて多様なブリーフが開発されてきた。勿論、このような全てのブリーフは、基本的な機能を基礎としているが、ビジュアル的ファッション性が強調されるにつれて、水分の吸収および発散のための快適性よりは着用感に比重を置いた新しい概念の高伸縮性素材が使用され始めた。また、ブリーフに対する消費者の欲求は、最小限の生理的機能に加えて活動性、着用感およびファッション性を重視する新しい価値に移動してきた。
【０００４】
ところが、現在までのブリーフは、ブリーフの基本機能に加えて活動性およびブリーフそのものの美しさを演出するに止まっている。今後、ブリーフがその役割を果たすためには、基本的な生理的機能もより細分化して部分別にその細部的機能を満たさなければならないうえ、ブリーフそのもののビジュアル的美しさのみならず、人体美学を考慮した新しい概念のファッション性を追求しなければならない。
【０００５】
最もおしゃれに服を着る方法は自分の体付きを一番美しく演出することであるが、このためには見えるビジュアル的イメージ以外に人体全体的なシルエットを美しく表現することが大事である。
【発明の概要】
【発明が解決しようとする課題】
【０００６】
そこで、本発明は、上述した要求に応えるためのもので、その目的とするところは、一方向または両方向に伸縮する所定の繊維生地を人体の曲線に合わせて立体的にパターン設計することにより、着用の際にパターンの相互間に作用する力の方向および人体部位別の動きに応じて垂直中心線の下方中央から上方左右の対角線方向に均等なＹ字形方向またはＶ字形方向の力が作用するブリーフを提供することにある。
【０００７】
本発明の他の目的は、垂直中心線の下方中央から上方左右の対角線方向に均等なＹ字形方向またはＶ字形方向の力によって美しいヒップアップを維持するとともに不便さを最小化することが可能なブリーフを提供することにある。
【０００８】
本発明の別の目的は、各パターン部分の曲線設計によって、着用の際にヒップが立体的形状を維持するとともにくつろぎの履き心地を与えることが可能なブリーフを提供することにある。
【０００９】
本発明の別の目的は、男性の陰茎部分を包み込む陰嚢パターン部が垂直中心線からいずれか一方に所定の角度で傾くように設計することにより、着用の際に陰茎の安定的なフィット感と楽な履き心地を与えることが可能なブリーフを提供することにある。
【００１０】
本発明の別の目的は、伸縮性および通気性に優れたメッシュテープを用いてヒップアップのための強い圧力が前部分に伝達されることを弱化させて最適の楽な履き心地を維持するとともに、男性の陰茎部分の通気性を良くして常に快適な状態に維持することが可能なブリーフを提供することにある。
【００１１】
本発明の別の目的は、人体の曲線および活動による筋肉の動きを勘案した人体工学的なパターン設計によって、ヒップアップに役立つとともに、陰嚢部位を支えることが可能なブリーフを提供することにある。
【課題を解決するための手段】
【００１２】
上記目的を達成するために、本発明は、着用者の腰の周りに着け、所定サイズの上方開口部が設けられた腰バンドと、前記腰バンドの下端縁に、所定のサイズに裁断された前身頃部材と後身頃部材が縫い合わされ、両側に所定サイズの下方開口部が設けられたブリーフ本体とを含んでなるブリーフにおいて、前記前身頃部材は、一方向および両方向の少なくとも一方向に伸縮する、所定のサイズと様々な形状に裁断された多数の繊維生地パターンで出来ているが、両方向に伸縮し、通気性を有する所定幅の左・右メッシュテープと、前記左・右メッシュテープによって後方からの左・右上後身頃に縫合され、垂直中心線の下方中央から上方左右の対角線方向に伸縮性がない単方向の左・右上前身頃と、下方に膨らんだＵ字形の曲線を成し、両方向に伸縮する通気性の中央メッシュテープと、前記中央メッシュテープによって前記左・右上前身頃に縫合され、お互いに立体的に連結され且つ両方向に伸縮する左・右陰嚢身頃と、前記左・右陰嚢身頃の下端部に配置され、両方向に伸縮し且つゴムバンドがない２重の左・右下前身頃と、前記左・右下前身頃のパターンに縫合され、両方向に伸縮する中央底部身頃とを含んでなり、前記左・右陰嚢身頃と前記中央メッシュテープで形成された陰嚢パターン部は、垂直中心線から左または右に所定の角度で傾くように構成されているため、着用の際に左右側部分より中央部分が低くなるように曲線設計された前記腰バンドに連結され、所定の一方向にのみ伸縮する前記左・右上前身頃と、その後ろからの前記左・右上後身頃に連結され、ヒップアップのための強い圧力が前身頃部分に伝達されることを弱化させる役割を果たす前記左・右メッシュテープと、前記左・右メッシュテープで弱化した力および前記左・右上前身頃、前記左・右陰嚢身頃で作用する圧力が陰嚢部位を強く圧迫しないように緩和させる役割を果たす前記中央メッシュテープと、前記中央メッシュテープに連結される前記中央底部身頃と、前記中央底部身頃の左右側に対称的に連結される前記左・右下前身頃とのパターン相互間に作用する力の方向と人体の動きに応じて垂直中心線の下方中央から上方左右の対角線方向にＶ字形方向の力が作用するように設計し；後身頃部材は、一方向にのみ伸縮する所定のサイズと様々な形状に裁断された多数の繊維生地パターンで出来ているが、左・右上前身頃に裁縫された左・右メッシュテープに互いに連結された左・右上後身頃と、その上後身頃の下端に左右対称的に縫合され、所定の一方向にのみ伸びる左・右下後身頃および左・右中央後身頃とを含んでなり、着用の際に左右側部分より中央部分が低くなるように曲線設計された腰バンドに連結され、垂直中心線の下方中央から上方左右の対角線方向に伸縮しない左・右上後身頃、左・右下後身頃、および垂直中心線の下方中央から上方に伸縮しない左・右中央後身頃のパターン相互間に作用する力の方向および人体部位別の動きに応じて垂直中心線の下方中央から上方左右の対角線方向に均等にＹ字形方向またはＶ字形方向の力が作用するように設計した。
【００１３】
また、前記前身頃部材において、左・右陰嚢身頃とメッシュテープで形成された陰嚢パターン部の左に傾いた角度は４０°〜８５°、右に傾いた角度は９５°〜１４０°にすることが好ましい。
【００１４】
また、前記後身頃部材において、左・右上前身頃に縫着されたメッシュテープに互いに連結された左・右上後身頃、左・右下後身頃、左・右中央後身頃のパターンは、垂直中心線の下方中央から上方左右の対角線方向に伸びないように左右対称的に互いに連結されることにより、着用の際にその相互結合による力の方向および身体の動きに応じて垂直中心線の下方中央から上方左右の対角線方向にＹ字形方向またはＶ字形方向の力が作用するが、その力の左方向の角度は１０°〜７５°、右方向の角度は１０５°〜１７０°であり、前記左右方向に作用する力は左右対称かつ均等であることが好ましい。
【００１５】
前述した本発明によれば、着用の際に、人体の動きに応じて前・後パターンの相互間に作用する力の方向および人体部位別の動きに応じて垂直中心線の下方中央から上方左右の対角線方向に均等に作用するＹ字形方向またはＶ字形方向の力によって、ヒップの筋肉（大臀筋）が下方に弛まないように自然に包み込みながら上方に引き上げることにより、尻から股にわたってのヒップラインを弾力的でボリューム感よく維持するとともに楽な履き心地    を与えることができるうえ、前身頃部材の構成のうち男性陰茎を包み込む陰嚢パターン部がいずれか一方に傾くように設計されていて、着用の際に陰茎の安定的なフィット感と楽な履き心地を与えることができ、伸縮性および通気性に優れたメッシュテープを用いてヒップアップのための強い圧力が前部分に伝達されることを弱化させて最適の楽な履き心地を保つことができ、陰茎部分の通気性を良好にして常に快適な状態に維持することができる。よって、本発明は、人体の活動性を考慮に入れ、ヒップアップに役立つとともに陰茎部位を楽にすることが可能な、人体美学を追求した新概念のブリーフを提供することができる。
【発明の効果】
【００１６】
上述したように、本発明のブリーフを着用すると、一方向または両方向に伸縮するように縫合された多数の前・後身頃パターンの相互間に作用する力の方向および人体部位別動きに応じて垂直中心線の下方中央から上方左右の対角線方向に作用する均等なＹ字形方向またはＶ字形方向の力によって、ヒップの筋肉が下方に弛まないように自然に包み込みながら上方に引き上げることにより、尻から股にわたってのヒップラインを弾力的でボリューム感よく維持するうえ、いずれか一方に所定の角度で傾いた陰嚢パターン部によって東／西洋人の身体的、生理的差異と変化による陰茎の安定的なフィット感および楽な履き心地を与えることができ、陰嚢部位に伸縮性および通気性のメッシュテープを適用してヒップアップのための強い圧力が伝達されることを緩和させることにより、最適の楽な履き心地と通気性の向上により常に快適な状態に維持することができる。
【図面の簡単な説明】
【００１７】
【図１】本発明に係るブリーフの一実施例を示す正面図である。
【図２】図１に示した前身頃部材の左右非対称の左上前身頃のパターンを示す平面展開図である。
【図３】図１に示した前身頃部材の左右非対称の右上前身頃のパターンを示す平面展開図である。
【図４】図１に示した前身頃部材の左右対称の左・右下前身頃のパターンを示す平面展開図である。
【図５】図１に示した前身頃部材の左陰嚢身頃のパターンを示す平面展開図である。
【図６】図１に示した前身頃部材の右陰嚢身頃のパターンを示す平面展開図である。
【図７】図１に示した前身頃部材の左右非対称の底部身頃のパターンを示す平面展開図である。
【図８】図１に示した前身頃部材のメッシュテープのパターンを示す平面展開図である。
【図９】図１に示したブリーフの身体接触部位別の伸縮状態を示す正面図である。
【図１０】図１に示した左・右陰嚢身頃で形成された立体的陰嚢パターン部分の適用角度を示す例示正面図である。
【図１１】本発明に係るブリーフの一実施例を示す背面図である。
【図１２】図１１に示した後身頃部材の左右対称の左・右上後身頃のパターンを示す平面展開図である。
【図１３】図１１に示した後身頃部材の左右対称の左・右下後身頃のパターンを示す平面展開図である。
【図１４】図１１に示した後身頃部材の左右対称の左・右中央後身頃のパターンを示す平面展開図である。
【図１５】図１１に示したブリーフの身体接触部位別の伸縮作用状態を示す背面図である。
【図１６】図１１に示した左右対称である左・右上後身頃のパターンを前身頃部材から分離して示す伸縮作用状態を示す背面図である。
【図１７】図１６に示した左・右上後身頃と左・右中央後身頃の相異なる伸縮方向特性により発生するＤ、Ｄ’方向に作用する力の適用角度を示す背面図である。
【図１８】本発明に係るブリーフの着用状態の前面を示す斜視図である。
【図１９】本発明に係るブリーフの着用状態の後面を示す斜視図である。
【図２０】本発明に係るブリーフの着用状態の側面を示す側面図である。
【発明を実施するための形態】
【００１８】
以下に添付図面を参照しながら、本発明の好適な実施の形態について詳細に説明する。
【００１９】
図１は本発明に係るブリーフの一実施例を示す正面図、図２〜図８は図１に示した前身頃部材の各パターンを示す平面展開図で、図２は左右非対称の左上前身頃のパターン、図３は左右非対称の右上前身頃のパターン、図４は左右対称の左・右下前身頃のパターン、図５は左陰嚢身頃のパターン、図６は右陰嚢身頃のパターン、図７は左右非対称の底部身頃のパターン、図８はメッシュテープのパターンを示す。
【００２０】
図１を参照すると、参照符号１０は上下開口部を有する男性用ブリーフである。このブリーフは、着用者の腰の周り部に密着して流れ落ちないように着け、所定サイズの上方開口部が設けられた腰バンド２０と、前記腰バンドの下端縁部に縫合されて人体部位を包み、両側に所定サイズの下方開口部が設けられたブリーフ本体３０とから構成される。
【００２１】
前記ブリーフ本体３０は、一方向または両方向に伸縮する、所定のサイズと様々な形状に裁断された繊維生地からなる前身頃部材４０と、その前身頃部材に連結され、一方向にのみ伸縮する、所定のサイズと様々な形状に裁断された繊維生地からなる後身頃部材５０とを含む。
【００２２】
まず、前記腰バンド２０は、左右側部分より中央部分が低くなるように曲線設計され、着用の際に、水平より低く設計されている中央部分が上方に上がりながら、そこに連結された前・後身頃部材が垂直中心線の下方中央から上方左右の対角線方向にＶ字形方向またはＹ字形方向の力が作用することに役立つ。
【００２３】
前身頃部材４０は、左・右上前身頃４１、４２、左・右下前身頃４３、４３ａ、左・右陰嚢身頃４４、４５、中央底部身頃４６、左・右メッシュテープ４７、４７ａ、および中央メッシュテープ４８を含んでなる。左・右上前身頃４１、４２は、尻が立体的形状を維持すると同時に陰嚢部位にくつろぎを与えるために、垂直中心線の下方中央から上方左右の対角線方向には伸びない所定のサイズと形状に裁断され、両方向に伸縮する通気性の所定幅の左・右メッシュテープ４７、４７ａによって後ろからの左・右上後身頃５１、５１ａと連結されるように縫着される。ゴムバンドのない２重の左・右下前身頃４３、４３ａは、両方向に伸縮し、ヒップアップのためにヒップを支える左・右下後身頃５２、５２ａの圧力を緩和させる役割を果たす。お互いに立体的に連結され且つ両方向に伸縮する左・右陰嚢身頃４４、４５は、下方に膨らんだＵ字形曲線を成し且つ両方向に伸縮する通気性の中央メッシュテープ４８によって、所定の一方向にのみ伸縮する前記左・右上前身頃４１、４２と連結されるように縫着される。両方向に伸縮する中央底部身頃４６は、前記左・右上前身頃４１、４２と中央メッシュテープ４８によって連結された左・右陰嚢身頃４４、４５の下端部に縫合され、左・右下前身頃４３、４３ａに連結される。
【００２４】
図２〜図８を参照すると、前身頃部材４０を構成する左上前身頃４１のパターンは、所定の一方向にのみ伸びる繊維生地で出来ており、３辺は長さの相異なる直線であり、それらの直線の両端に連結された３辺は曲線であるが、それらの曲線のうち、上方の最も長い直線の一端および最も短い直線の一端に連結された１辺は外方に膨出し、最も長い直線と最も短い直線のそれぞれ他端および中間長さの直線の両端に連結された２辺は内方に凹むことにより、全体的に槍の刃の形状をする。右上前身頃４２のパターンは、所定の一方にのみ伸びる繊維生地で出来ており、２辺は長さの相異なる直線であり、それらの各直線の一端に連結された２辺およびその他端に連結された１辺は曲線であるが、上方の２辺は長い直線から短い直線に向かって逆Ｖ字形を描きながら内方に凹んでから外方に膨出し、下方の１辺は内方に凹むことにより、全体的にブーメランの形状をする。左・右下前身頃４３、４３ａのパターンは、両方向に伸縮する２重の繊維生地で出来ており、４辺の長さが相異なる四角形の形状を有し、人体の動きが殆どない部位に配置されるから、活動性の多いリンパ腺部位に楽さを与えるためにゴムバンドを使用せず２重にした。
【００２５】
また、左陰嚢身頃４４のパターンは、両方向に伸縮する繊維生地で出来ており、１辺が直線であり、その直線の両端に連結された２辺は曲線であるが、その曲線のうち左曲線が右曲線より外方にさらに膨出している。右陰嚢身頃４５のパターンは、両方向に伸縮する繊維生地で出来ており、１辺が直線であり、その直線の両端に連結された２辺は曲線であるが、その曲線のうち右曲線が左曲線より外方にさらに膨出している。中央底部身頃４６のパターンは、両方向に伸縮する繊維生地で出来ており、左右２辺は長さの相異なる直線であり、２直線の一端に連結され且つ中央に位置する１辺、２直線の他端に連結され且つ左右に位置する２辺、およびこれらの左右２辺の下端に連結され且つ下方に位置する１辺は曲線であるが、その曲線のうち、中央に位置する１辺と左右側に位置する２辺は左右非対称で内方に凹んでおり、下方に位置する１辺は外方に膨出している。中央底部身頃４６のパターンは、底面幅Ｗを、男／女それぞれ人体の特性に合わせて男子は狭く、女子は広く設計することができ、底部からヒップまでの距離Ｓとヒップの形状を勘案して直角を成すように設計することにより、ヒップを十分に包むことができるようにした。
【００２６】
また、左・右メッシュテープ４７、４７ａと中央メッシュテープ４８のパターンは、伸縮性と通気性を有し、両方向に伸縮する帯状の繊維生地で出来ている。前記左・右メッシュテープは、後ろからの左・右上後身頃５１、５１ａのヒップアップのための強い圧力が伝達されることを弱化させ、活動の際に弾力的に動いてフィット感を高める役割をする。中央メッシュテープは、前記左・右メッシュテープで弱化した力と左・右上前身頃４１、４２で作用する圧力が陰嚢部位を強く圧迫しないように弱化させる役割を果たすうえ、陰嚢周囲の通気性を良くして汗でべたつくのを防止し、体温を低めることにより、健康に役立つようにした。
【００２７】
また、前記左・右陰嚢身頃４４、４５と下方に膨らんだＵ字形の中央メッシュテープ４８で形成された立体的陰嚢パターン部の方向が、本発明の図面では垂直中心線から右に所定の角度傾くように示されているが、これに限定されず、東／西洋人の身体的、生理的特性を考慮して垂直中心線から左に所定の角度傾くように構成してもよい。このような構造を持つ本発明のブリーフを着用する場合、陰嚢パターン部の方向に応じて、睾丸は中央に、陰茎は自然に左または右に位置するようにして楽な履き心地を与え、勃起の際にも安定的なフィット感を維持することができる。また、このような特徴により、男性下着のサイズを大幅減らすことができ、特殊な身体の男性も安定的に着用することができるので、外衣のシルエットを美しくする。
【００２８】
図１０は図１に示した左・右陰嚢身頃で形成された立体的陰嚢パターン部の適用角度を示す例示正面図である。図１０を参照すると、前身頃部材に前記左・右陰嚢身頃４４、４５と下方に膨出したＵ字形の中央メッシュテープ４８との縫い付けによって形成された立体的陰嚢パターン部の左・右側方向および傾きは、東洋人または西洋人の身体的、生理的男性陰茎の差異と変化を考慮し、左に位置する場合にはその角度θ１が４０°〜８５°、右に位置する場合にはその角度θ２が９５°〜１４０°の間に位置するように設計することが好ましい。
【００２９】
図１１は本発明に係るブリーフの一実施例を示す背面図、図１２〜図１４は図１１に示した後身頃部材の各パターンを示す平面展開図で、図１２は左右対称の左・右上後身頃のパターンであり、図１３は左右対称の左・右下後身頃のパターンであり、図１４は左右対称の左・右中央後身頃のパターンを示す。
【００３０】
図１１を参照すると、後身頃部材５０は、ヒップが立体的形状を維持すると同時に楽な履き心地を与えるために、左右部分より中央部分が低くなるように曲線設計された腰バンド２０の下端部には、左・右上後身頃５１、５１ａの左右端は前身頃部材４０の左・右上前身頃４１、４２に縫着された左・右メッシュテープ４７、４７ａと連結されるように曲線設計されており、その左・右上後身頃５１、５１ａの下端部には、曲線設計された左・右下後身頃５２、５２ａと左・右中央後身頃５３、５３ａのパターンが所定の一方向にのみ伸びるように左右対称的に縫着されている。
【００３１】
図１２〜図１４に示すように、後身頃部材５０を構成する左・右上後身頃５１、５１ａのパターンは、一方向にのみ伸縮する繊維生地で出来ており、１辺は長さの同じ直線であり、その直線の両端に連結された２辺は曲線であるが、その曲線のうち、上方の１辺は外方に膨出しており、下方の１辺は直線から２曲線の交わる方向に向かって外方に膨出してから内方に凹んでいる。左・右下後身頃５２、５２ａのパターンは、一方向にのみ伸縮する繊維生地で出来ており、対向する２辺は長さの異なる直線であり、それらの直線の両端に連結された２辺は曲線であるが、それらの曲線のうち、上方の１辺は長さの短い直線から長い直線方向に向かって内方に凹んでから外方に膨出しており、下方の１辺は内方に凹んでいる。左・右中央後身頃５３、５３ａのパターンは、一方向にのみ伸縮する繊維生地で出来ており、対向する２辺は長さの異なる直線であり、それらの直線の一端に連結された１辺および他端に連結された２辺は曲線であるが、その曲線のうち、上方の１辺は内方に凹んでおり、下方の２辺は長さの長い直線から短い直線に向かってＶ字形を描きながら内方に凹んでから外方に膨出している。
【００３２】
一方、図１７は図１６に示した左・右上後身頃と左・右中央後身頃の伸縮方向特性により発生するＤ、Ｄ’方向に作用する力の適用角度を示す背面図である。図１７を参照すると、前記左・右上前身頃４１、４２に縫着されたメッシュテープ４７、４７ａに互いに連結された左・右上後身頃５１、５１ａ、左・右下後身頃５２、５２ａおよび左・右中央後身頃５３、５３ａのパターンは、垂直中心線の下方から上方左右の対角線Ｄ、Ｄ’方向に伸びないように左右対称的に互いに連結されているため、着用の際にその相互結合による力の作用方向、および身体の動きに応じて垂直中心線の下方中央から上方左右の対角線方向に力が作用する。この際、左方向に作用する力の角度θ３は１０°〜７５°、右方向に作用する力の角度θ４は１０５°〜１７０°である。この左右方向に作用する力は、左右対称的で均等に作用するＹ字形方向の力、あるいは図１５に示した垂直中心線の下方中央から上方左右の対角線Ｃ、Ｃ’方向に作用するＶ字形方向の力である。
【００３３】
ここで使用される繊維生地は、他の一般製品に比べてより強い圧力に耐えなければならないので、繊維長の長い優れた原料を使用した。また、繊維生地は、さらに強くするためにツイストをより多く３次元方式で与えることにより、一般な糸に比べて著しく優れた強度を有するうえ、弾力性と回復性に優れるし、吸収と発散が速くて常に快適な状態を維持し、長期間の使用にも毛羽が少なく発生して常に新しいもののような感じを与えることが可能な一方向または両方向性の生地を使用することが好ましい。
【００３４】
次に、このように構成された本発明の作用について説明する。
【００３５】
図９は図１に示したブリーフの人体接触部位別の伸縮作用を示す正面図、図１８は本発明に係るブリーフの着用状態の前面を示す斜視図、図２０は本発明に係るブリーフの着用状態の側面を示す側面図である。
【００３６】
図９および図１８を参照すると、前身頃部材の構成のうち、陰嚢周囲の左・右上前身頃４１、４２は垂直中心線の下方中央から上方左右の対角線Ｚ、Ｚ’方向に伸びず、その他の左・右下前身頃４３、４３ａ、左・右陰嚢身頃４４、４５、中央底部身頃４６、およびメッシュテープ４７、４７ａ、４８は両方向に伸びるように曲線設計されている。よって、本発明のブリーフを図１８に示すように着用した状態で動く場合、互いに隣接するパターン相互間の伸縮する力の方向および着用時の人体の動きに応じて垂直中心線の下方中央から上方左右の対角線Ｚ、Ｚ’方向に均等なＶ字形方向の力が作用するが、この際、所定の方向にのみ伸びる前記左・右上前身頃４１、４２が中央底部身頃４６と左・右陰嚢身頃４４、４５を前述の力によって弾力的に調節することにより、陰嚢部位にくつろぎを与えることができると同時に、左右側部分より中央部分が低くなるように曲線設計された腰バンド２０の左・右両側端部分１−Ｃ、１−Ｃ’の軸が後ろからの左・右上身頃５１、５１ａの伸縮作用に応じて脇を基点として垂直中心線の下方中央から上方左右の対角線Ｚ、Ｚ’方向に向かうＶ字形方向の力によって陰嚢部位の楽さおよびヒップアップに役立つ。
【００３７】
前記左・右下前身頃４３、４３ａは、前記中央メッシュテープ４８に連結される中央底部身頃４６、およびその中央底部身頃の左右側に対称的に連結されてヒップアップのためにヒップを支えた左・右下後身頃５２、５２ａの圧力を緩和させることにより、ゴムバンドを無くし、生地を２重に設計することにより、活動性の多いリンパ腺部位を楽にする。
【００３８】
前記左・右陰嚢身頃４４、４５は、中央メッシュテープ４８との結合によって形成された陰嚢パターン部が左または右に傾くように設計されているため、着用の際に外衣のシルエットを美しくし、男性陰茎の安定的なフィット感と楽な履き心地を与える。
【００３９】
前記底板４６は、底面幅Ｗを男女人体の特性を考慮して男性の場合には狭く、女性の場合にはより広く処理し、底部からヒップまでの距離Ｓはヒップの形状を勘案して急傾斜に設計することにより、底部の不便さを無くすと同時にヒップを十分に包む。
【００４０】
前記左・右メッシュテープ４７、４７ａは、左右側部から中央部分が低くなるように曲線設計された腰バンドに連結され、垂直中心線の下方中央から上方左右の対角線Ｚ、Ｚ’方向に伸びない左・右上前身頃４１、４２、およびその後ろからの左・右上後身頃５１、５１ａに連結され、ヒップアップのための強い圧力が前身頃部分に伝達されることを弱化させる役割を果たす。中央メッシュテープ４８は、前記左・右メッシュテープ４７、４７ａで弱化した力と左・右上前身頃４１、４２、左・右陰嚢身頃４４、４５で作用する圧力が陰嚢部位を強く圧迫しないように緩和させる役割を果たすうえ、陰嚢周囲の通気性を良くして汗でべたつくのを防止し、体温を低めることにより、皮膚健康に役立つようにする。
【００４１】
図１５は図１１に示したブリーフの人体接触部位別の伸縮作用状態を示す背面図、図１６は図１１に示した左右対称の左・右上後身頃のパターンを前身頃部材から分離して示す伸縮作用状態を示す背面図、図１９は本発明に係るブリーフの着用状態の後面を示す斜視図である。
【００４２】
図１５および図１９を参照すると、左・右上後身頃５１、５１ａとその上端部分に連結される腰バンド２０が左右対称的に曲線設計されている。よって、着用の際に左右側部分より中央部分が低く設計されたゴム材の腰バンドが、着用の際に図１５の点線のように左右矢印Ａ、Ａ’方向に伸びながら水平より低い腰バンドの中央部分１−Ａが上方に上がり、これと同時に垂直中心線１−Ｂを軸として前記垂直中心線の下方中央から上方左右の対角線方向に伸びない左・右上後身頃５１、５１ａと垂直中心線の下方中央から上方に伸びない中央後身頃５３、５３ａのパターン相互間に作用する力によって、垂直中心線の下方中央から上方左右の対角線Ｃ、Ｃ’方向に作用するＶ字形方向の力とその垂直中心線の近傍から上方に作用するＢ方向の力でヒップを上方に引き上げてヒップアップさせる。
【００４３】
また、腰バンド２０の下端部分と左・右上後身頃５１、５１ａの上端部分との連結部分２−Ａが上方に膨出するように曲線設計されており、その左・右上後身頃５１、５１ａの上端部分に腰バンドが連結されているため、その腰バンドの力によって連結部分２−Ａの生地は下方に下がって水平を成し、下方に下がった左右連結部分２−Ａの生地は残って立体形状のヒップを自然に包み込む。特に、図１６において、前記左・右上後身頃５１、５１ａは、垂直中心線の下方から上方左右の対角線方向に伸びないため、ヒップが弛むのを防止し、腰の両端部分１−Ｃ、１−Ｃ’が力の軸となって、垂直中心線の下方中央から上方左右の対角線Ｄ、Ｄ’方向に均等に作用するＹ字形方向の力によってヒップを上方に引き上げる軸の役割を果たす。
【００４４】
前述した左・右上後身頃５１、５１ａの下端部分と左・右下後身頃５２、５２ａ、中央後身頃５３、５３ａの上端部分との連結部分２−Ｂの曲線は、中央後身頃５３、５３ａの生地曲線と共にヒップを曲線形状に支えることにより、美しいヒップラインの維持に役立つ。
【００４５】
前記左・右上後身頃５１、５１ａは、図１６に示したピラミド部分Ｅの優れた伸縮性と回復力によって、立った姿勢で自然なＹ字形方向の力の原理によってヒップアップ効果があり、ピラミド部分の優れた伸縮性によって、座った姿勢（立った姿勢に比べて表面積が約１．５倍である）でもヒップを無理なく包み込む役割を果たす。
【００４６】
前記中央後身頃５３、５３ａは、ヒップの曲線を最もよく支え、垂直方向には伸縮性がないように曲線設計されているため、腰の中央部分１−Ａにおける上方に引っ張る力、または左・右上後身頃５１、５１ａにおける対角線方向に引っ張る力が垂直に作用して、ヒップ部分のうち最も弛み易い部分を支える役割を果たし、また、座った姿勢でヒップの表面積が横に大きくなるときを備えて横方向への伸縮性および回復力に優れる。
【００４７】
前記左・右中央後身頃５３、５３ａの下端部分４−Ａは、ヒップの肉が最も多い部分を十分包み込むことができるようにするために、一般に広く知られている対角線形態から外れて水平に近い横設計技法によってヒップを十分に包み込むことができるようにした。
【００４８】
前述した左・右下後身頃５２、５２ａは、左・右中央後身頃５３、５３ａと反対方向の伸縮性を持っているため、着用の際にヒップのヒップラインを強く押してヒップの曲線美を生かしながら、ヒップの表面積が増加する場合に前記左・右上後身頃５１、５１ａと共にヒップを包む役割を果たす。
【００４９】
また、図１６で展開された左・右上後身頃５１、５１ａの左右側端は前身頃部材４０側に乗り越えるように曲線設計されることにより腰バンド２０とメッシュテープ４７、４７ａに連結され、左・右上後身頃５１、５１ａの下端部は左・右下後身頃５２、５２ａと中央後身頃５３、５３ａに連結されているため、着用の際に前記垂直中心線の下方中央から上方左右の対角線方向に伸びない多数の左・右上後身頃５１、５１ａ、左・右下後身頃５２、５２ａと、垂直中心線の下方から上方に伸びない左・右中央後身頃５３、５３ａのパターン相互間に作用する力の方向および着用時の身体部位別の動きに応じて垂直中心線の下方から上方左右の対角線Ｄ、Ｄ’方向に均等に作用するＹ字形方向の力によって、美しいヒップアップラインを維持すると共に楽な履き心地を与える。
【００５０】
以上、本発明は、男性用ブリーフの構成を一実施例として説明したが、これに限定されるものではなく、女性人体の特性に合わせて後身頃部材のパターン構造と底部身頃を広く設計したヒップアップ機能付き女性用ブリーフにも適用可能である。
【符号の説明】
【００５１】
１０    ブリーフ
２０    腰バンド
３０    ブリーフ本体
４０    前身頃部材
４１    左上前身頃
４２    右上前身頃
４３、４３ａ    左・右下前身頃
４４    左陰嚢身頃
４５    右陰嚢身頃
４６    底部身頃
４７、４７ａ    左・右メッシュテープ
４８    中央メッシュテープ
５０    後身頃部材
５１、５１ａ    左・右上後身頃
５２、５２ａ    左・右下後身頃
５３、５３ａ    左・右中央後身頃
【図１】
2011517735.tif 000003
【図２】
2011517735.tif 000004
【図３】
2011517735.tif 000005
【図４】
2011517735.tif 000006
【図５】
2011517735.tif 000007
【図６】
2011517735.tif 000008
【図７】
2011517735.tif 000009
【図８】
2011517735.tif 000010
【図９】
2011517735.tif 000011
【図１０】
2011517735.tif 000012
【図１１】
2011517735.tif 000013
【図１２】
2011517735.tif 000014
【図１３】
2011517735.tif 000015
【図１４】
2011517735.tif 000016
【図１５】
2011517735.tif 000017
【図１６】
2011517735.tif 000018
【図１７】
2011517735.tif 000019
【図１８】
2011517735.tif 000020
【図１９】
2011517735.tif 000021
【図２０】
2011517735.tif 000022
【国際調査報告】
2011517735.tif 000023
2011517735.tif 000024